(57)【要約】【課題】  分電盤の製作が容易な接続器を提供する。【解決手段】  側壁部が取外し可能なケース２と、ケース２に配設された接続バー３とを備えて、複数個を連結可能に構成され、接続バー３は、ブレーカ５の入力端子５１に接続されるブレーカ側端子部３１と、母線バー６を挟着可能な母線バー側端子部３２とを備え、ケースの前壁部２１に、ブレーカ側端子部３１を挿入可能な孔２２が、上下方向に複数並設され、ケース２の後部には、母線バー６が係合される凹部２４が上下方向に複数並設され、ブレーカ側端子部３１が、いずれかの孔２２に挿入されて、ブレーカ側端子部３１の先端部が孔２２からケース２の外方に突出し、母線バー側端子部３２の先端部が、いずれかの凹部２４に配置され、ケース２の側壁部を取外すことにより、接続バー３が着脱可能になって、ブレーカ側端子部３１を挿入する孔２２を変更可能である接続器１。【選択図】  図５
0003113256.tif 000002
【実用新案登録請求の範囲】
【請求項１】
分電盤の盤面に垂直な方向を上下方向としたときに、上下方向に並設されるとともに前記盤面に対して板面が平行となるように配設された複数の長尺板状の母線バーと、分岐用ブレーカとを接続する接続器であって、
少なくとも一方の側壁部が取外し可能に構成されたケースと、前記ケースに配設された接続バーとを備えて、複数個を連結可能に構成され、
前記接続バーは、前記分岐用ブレーカの入力端子に接続されるブレーカ側端子部と、前記母線バーを挟着可能に構成された母線バー側端子部とを備え、
前記ケースの前壁部に、前記ブレーカ側端子部を挿入可能な孔が、上下方向に複数並設され、
前記ケースが側面視において櫛形状をなすように、前記ケースの後部に、前記母線バーが係合される凹部が上下方向に複数並設され、
前記ブレーカ側端子部が、いずれかの前記孔に挿入されて、前記ブレーカ側端子部の先端部が前記孔から前記ケースの外方に突出し、
前記母線バー側端子部の先端部が、いずれかの前記凹部に配置され、
前記ケースの前記側壁部を取外すことにより、前記接続バーが着脱可能になって、前記ブレーカ側端子部を挿入する前記孔を変更可能である
ことを特徴とする接続器。
【請求項２】
第１の入力端子と第２の入力端子とが段違いに設けられた前記分岐用ブレーカと、前記母線バーとを接続するための前記接続器であって、
左右方向の幅が前記分岐用ブレーカの左右方向の幅と略同じであり、
前記ブレーカ側端子部の前記先端部が、前記ケースの前方に延びる第１の端子部と、前記ケースの側方に延びてから前方に延びる第２の端子部とに分岐し、
前記ブレーカ側端子部の前記先端部が互いに反転した状態で異なる高さの前記孔から突出した２つの前記接続器を、前記第２の端子部が延びている側の側面同士を隣接させて連結したときに、一方の前記接続器の前記第２の端子部が他方の前記接続器の前方に配置されるとともに、前記他方の前記接続器の前記第２の端子部が前記一方の前記接続器の前方に配置されて、前記一方の前記接続器の前記第１の端子部と前記他方の前記接続器の前記第２の端子部が、前記第１の入力端子と前記第２の入力端子の位置に合うように段違いに配置されるとともに、前記一方の前記接続器の前記第２の端子部と前記他方の前記接続器の前記第１の端子部が、前記第１の入力端子と前記第２の入力端子の位置に合うように段違いに配置される
ことを特徴とする請求項１記載の接続器。
【請求項３】
盤面に垂直な方向を上下方向としたときに、上下方向に並設されるとともに前記盤面に対して板面が平行となるように配設された複数の長尺板状の母線バーと、分岐用ブレーカとを請求項１または２記載の接続器で接続したことを特徴とする分電盤。                                                                               
【考案の詳細な説明】
【技術分野】
【０００１】
本考案は、分岐用ブレーカを分電盤の母線バーに接続するための接続器、及び、その接続器を用いた分電盤に関する。
【背景技術】
【０００２】
下記特許文献１に示された分電盤は、図１０に示すように、分岐用ブレーカ１０４を母線バー１０２に接続するための接続器１０５を備えている。接続器１０５は、ケース１１５に接続バー１１４が配設されたものであり、接続バー１１４の母線バー側端子部１１１は端子形状またはクリップ形状とされて、ケース１１５に設けられた凹部１１６内に配設され、接続バー１１４のブレーカ側端子部１１７は、ケース１１５に設けられた孔１１８から外方に突出している。そして、複数の長尺板状の母線バー１０２を、その板面が分電盤の盤面１０１に平行になるように並設し、母線バー側端子部１１１に母線バー１０２を挟着するとともに、ブレーカ側端子部１１７をブレーカ１０４の入力端子１１９に接続することにより、母線バー１０２の両側にブレーカ１０４を配置している。
【特許文献１】大韓民国実用新案第２０−０３２１２１８号公報
【考案の開示】
【考案が解決しようとする課題】
【０００３】
しかし、図１０に示すように、ブレーカ１０４の上面１０４ａと接続器１０５の上面１０５ａとの高さを揃えて保護カバー１２０で覆うために、ブレーカ１０４の位置を上げた場合、接続器１０５は、孔１１８の高さが一定であるため、入力端子１１９と孔１１８の位置が合わなくなり、ブレーカ側端子部１１７と入力端子１１９とを、さらに別の接続導体１２１で接続しなければならなくなり、分電盤の製作が容易でなくなるという問題があった。
【０００４】
この考案は、上述した問題を解決するものであり、分電盤の製作が容易な接続器を提供することを目的とする。
【課題を解決するための手段】
【０００５】
請求項１記載の接続器は、分電盤の盤面に垂直な方向を上下方向としたときに、上下方向に並設されるとともに前記盤面に対して板面が平行となるように配設された複数の長尺板状の母線バーと、分岐用ブレーカとを接続する接続器であって、少なくとも一方の側壁部が取外し可能に構成されたケースと、前記ケースに配設された接続バーとを備えて、複数個を連結可能に構成され、前記接続バーは、前記分岐用ブレーカの入力端子に接続されるブレーカ側端子部と、前記母線バーを挟着可能に構成された母線バー側端子部とを備え、前記ケースの前壁部に、前記ブレーカ側端子部を挿入可能な孔が、上下方向に複数並設され、前記ケースが側面視において櫛形状をなすように、前記ケースの後部に、前記母線バーが係合される凹部が上下方向に複数並設され、前記ブレーカ側端子部が、いずれかの前記孔に挿入されて、前記ブレーカ側端子部の先端部が前記孔から前記ケースの外方に突出し、前記母線バー側端子部の先端部が、いずれかの前記凹部に配置され、前記ケースの前記側壁部を取外すことにより、前記接続バーが着脱可能になって、前記ブレーカ側端子部を挿入する前記孔を変更可能であることを特徴とする。
【０００６】
請求項２記載の接続器は、第１の入力端子と第２の入力端子とが段違いに設けられた前記分岐用ブレーカと、前記母線バーとを接続するための請求項１記載の接続器であって、左右方向の幅が前記分岐用ブレーカの左右方向の幅と略同じであり、前記ブレーカ側端子部の前記先端部が、前記ケースの前方に延びる第１の端子部と、前記ケースの側方に延びてから前方に延びる第２の端子部とに分岐し、前記ブレーカ側端子部の前記先端部が互いに反転した状態で異なる高さの前記孔から突出した２つの前記接続器を、前記第２の端子部が延びている側の側面同士を隣接させて連結したときに、一方の前記接続器の前記第２の端子部が他方の前記接続器の前方に配置されるとともに、前記他方の前記接続器の前記第２の端子部が前記一方の前記接続器の前方に配置されて、前記一方の前記接続器の前記第１の端子部と前記他方の前記接続器の前記第２の端子部が、前記第１の入力端子と前記第２の入力端子の位置に合うように段違いに配置されるとともに、前記一方の前記接続器の前記第２の端子部と前記他方の前記接続器の前記第１の端子部が、前記第１の入力端子と前記第２の入力端子の位置に合うように段違いに配置されることを特徴とする。
【０００７】
請求項３記載の分電盤は、盤面に垂直な方向を上下方向としたときに、上下方向に並設されるとともに前記盤面に対して板面が平行となるように配設された複数の長尺板状の母線バーと、分岐用ブレーカとを請求項１または２記載の接続器で接続したことを特徴とする。
【考案の効果】
【０００８】
請求項１記載の接続器によれば、ブレーカ側端子部を挿入可能な孔が上下方向に複数並設されており、側壁部を取外すことにより接続バーが着脱可能になって、ブレーカ側端子部を挿入する孔を変更可能であるので、ブレーカの入力端子の位置に合った孔を選んでブレーカ側端子部を挿入すれば、入力端子とブレーカ側端子部とを別の接続導体で接続する必要がなくなり、分電盤の製作が容易である。
【０００９】
請求項２記載の接続器によれば、２つの接続器を連結して用いることにより、一方の接続器の第１の端子部と他方の接続器の第２の端子部が、段違い端子型ブレーカの第１の入力端子と第２の入力端子の位置に合うように段違いに配置され、一方の接続器の第２の端子部と他方の接続器の第１の端子部が、同様に、第１の入力端子と第２の入力端子の位置に合うように段違いに配置されるので、段違い端子型ブレーカを容易に接続でき、分電盤の製作が容易である。
【００１０】
請求項３記載の分電盤によれば、請求項１または２記載の接続器で、母線バーと分岐用ブレーカとを接続するので、分電盤の製作が容易である。
【考案を実施するための最良の形態】
【００１１】
以下、本考案の第１実施形態を、図１〜５に基づいて説明する。第１実施形態の接続器１は、図４及び図５に示すように、母線バー６と、母線バー６の両側に配置される分岐用ブレーカ５とを接続するものである。なお、図４及び図５では、母線バー６の片側に配置された接続器１及びブレーカ５のみ示している。
【００１２】
母線バー６は、導体で長尺板状に形成され、分電盤の盤面４に垂直な方向（図５中矢印Ａ方向）を上下方向としたときに、上下方向に所定間隔で複数（本実施形態では３本）並設されるとともに、盤面４に対して板面が平行となるように配設されている。
【００１３】
接続器１は、図１及び図２に示すように、ケース２と、ケース２に配設された接続バー３とから構成され、接続するブレーカ５の入力端子５１の数に応じて複数個を連結して用いられる。
【００１４】
ケース２は、難燃性の合成樹脂等の絶縁物で、略直方体形状に形成されている。ケース２の前壁部２１には、複数の孔２２が上下方向に並設されている。各孔２２は、接続バー３のブレーカ側端子部３１を挿入可能な形状とされている。なお、接続器１における前後とは、図５の矢印Ｂに示すように、ブレーカ５に向かう側を前、その反対側を後とする。
【００１５】
また、ケース２が側面視において櫛形状をなすように、ケース２の後部２３には、母線バー６が係合される凹部２４が上下方向に複数並設されている。
【００１６】
ケース２は、図２に示すように、一方の側壁部２５が取外し可能とされ、側壁部２５を取外すことにより、接続バー３は着脱可能となる。
【００１７】
また、ケース２には、ボルト２８が挿通される孔が設けられ、ケース２は、側壁部２５が外れないようにボルト２８で側壁部２５を締着可能であるとともに、複数個のケース２をボルト２８で連結可能である。エンドプレート９は、端に配置された側壁部２５を覆うものである。
【００１８】
接続バー３は、図３に示すように、板状の導体を折曲することにより形成された本体部３３と、本体部３３の一端部にボルト３４により取着された上部端子３５とを備え、上部端子３５が設けられた本体部３３の端部、上部端子、及び、ボルト３４により、母線バー側端子部３２が構成される。
【００１９】
本体部３３の上部端子３５が設けられていない側の端部は、ブレーカ５の入力端子５１に接続されるブレーカ側端子部３１とされる。ブレーカ側端子部３１の先端部３１ａには、孔３６が穿設されている。
【００２０】
そして、ケース２の側壁部２５を取外した状態で、母線バー側端子部３２の先端部３２ａを凹部２４に配置し、ブレーカ側端子部３１を孔２２に挿入して、側壁部２５を取着すると、ブレーカ側端子部３１は孔２２に挿通された状態となり、先端部３１ａが孔２２からケース２の外方に突出する。
【００２１】
接続バー３は、図３に示すように、凹部２４と孔２２の高さの違いに応じて、母線バー側端子部３２とブレーカ側端子部３１とを連結する連結部３７の長さが異なる複数種類が用意されている。また、接続バー３は、図２の符号３Ａと３Ｂとに示すように、本体部３３を反転して、上部端子３５を本体部３３の上側に付け替えることができる。このように、接続バー３の種類の変更や、反転及び上部端子３５の付替えを行うことにより、母線バー側端子部３２の先端部３２ａを任意の凹部２４に配置し、ブレーカ側端子部３１を任意の孔２２に挿入することができる。すなわち、ブレーカ側端子部３１を挿入する孔２２を変更可能である。
【００２２】
母線バー側端子部３２には、図５に示すように、本体部３３と上部端子３５との間に母線バー６を挟んでボルト３４を締め付けることにより、母線バー６が挟着される。なお、ケース２の上部には孔２７が穿設され、孔２７からドライバを挿入してボルト３４を締付け可能である。
【００２３】
以上のように構成された接続器１を用いて、図５に示すように、保護カバー８で覆われた分電盤を製作する場合について、次に説明する。
【００２４】
まず、各母線バー６を、盤面４上に配置された接続器１のいずれかの凹部２４の位置に合わせて配置する。また、適当な高さの台７等を用いて、接続器１のいずれかの孔２２とブレーカ５の入力端子５１との位置が合うように、かつ、接続器１の上面１ａとブレーカ５の上面５ａの高さが大体揃うように（すなわち、上面１ａと上面５ａとの高さの違いが最小となるように）、ブレーカ５の位置を調整する。
【００２５】
次に、入力端子５１の位置に合った孔２２と、接続する母線バー６の位置に対応する凹部２４との、高さの違いに応じて、接続バー３を選択する。そして、ケース２の側壁部２５を取外して、選択した接続バー３の母線バー側端子部３２の先端部３２ａを、接続する母線バー６の位置に対応する凹部２４に配置し、ブレーカ側端子部３１を、入力端子５１の位置に合った孔２２に挿入して、側壁部２５を取着する。
【００２６】
同様にして、ブレーカ５の入力端子５１の数だけ接続器１を組み立てて、それらをボルト２８で連結する。図４のように、２つの入力端子５１を有するブレーカ５を接続する場合は、２つの接続器１を連結する。そして、各ブレーカ側端子部３１を、対応する入力端子５１にボルト５２で締結する。
【００２７】
一方、各接続器１の凹部２４には、母線バー６を係合する。なお、図５の例では、一番下の凹部２４の位置に合った母線バー６は配設されてないので、一番下の凹部２４には母線バー６は係合されない。
【００２８】
そして、母線バー側端子部３２の先端部３２ａが配置された凹部２４では、母線バー６を本体部３３と上部端子３５との間に挟み、ボルト３４を締め付けて、母線バー６を母線バー側端子部３２に挟着する。これにより、母線バー６と入力端子５１とは接続器１を介して接続される。
【００２９】
図２及び図５に示す接続器１では、一番下の母線バー６（図５中、符号６Ｃで示す。）が、接続バー３Ａにより一方の入力端子５１に接続され、一番上の母線バー６（図５中、符号６Ａで示す。）が、接続バー３Ｂにより他方の入力端子５１に接続される。
【００３０】
上記のように、接続器１は、側壁部２５を外せば、接続バー３が着脱可能になり、接続バー３の位置を変えたり、接続バー３を反転したり、交換したりすることにより、母線バー側端子部３２の先端部３２ａを配置する凹部２４を、任意に選択可能であるとともに、ブレーカ側端子部３１を挿入する孔２２を、任意に選択可能である。
【００３１】
このため、ブレーカ５の位置を上げたい場合には、いずれかの孔２２に入力端子５１の位置が合うように上げれば、その孔２２にブレーカ側端子部３１を挿入することにより、別の接続導体を用いて接続バー３と入力端子５１とを接続する必要が無くなり、母線バー６とブレーカ５との接続が容易であり、分電盤の製作が容易である。
【００３２】
次に、本考案の第２実施形態について、図６〜９に基づいて説明する。なお、第１実施形態の接続器１と同じ部分については、適宜、同じ符号を用いてその説明を省略する。
【００３３】
図６及び図７に示すように、第２実施形態の接続器１０は、第１の入力端子５３と第２の入力端子５４とが段違いに設けられた段違い端子型分岐用ブレーカ５０を接続するために用いられ、互いに連結された２つの接続器１０で、２つのブレーカ５０を接続するものである。
【００３４】
接続器１０は、左右方向の幅がブレーカ５０の左右方向の幅と略同じとされる。なお、略同じというときは、全く同じ場合も含むものとする。また、左右方向とは図８の矢印Ｃ方向をいい、母線バー６に取着したときに母線バー６の長手方向に一致する方向をいう。
【００３５】
接続器１０は、ブレーカ側端子部１２の先端部１２ａが分岐した接続バー１１を備えている。先端部１２ａは、ケース２の前方に延びる第１の端子部１３と、ケース２の側方に延びてから前方に延びる第２の端子部１４とに分岐している。第１の端子部１３、及び、第２の端子部１４は、それぞれ、第１の入力端子５３が配置された凹部５５、及び、第２の入力端子５４が配置された凹部５６のいずれにも、挿入可能な形状とされている。第１の端子部１３、第２の端子部１４には、それぞれ、ボルト５２が係合される凹部１６が設けられている。
【００３６】
接続バー１１は、先端部１２ａ以外の部分は、第１実施形態の接続バー３と同じ構成とされている。なお、接続バー３では、図３に示すように、連結部３７の長さが異なる３種類を設けたが、接続バー１１では、これらの３種類の各々について、さらに、先端部１２ａが反転した（すなわち、第１の端子部１３の位置と第２の端子部１４の位置が逆の）２種類ずつが設けられている。
【００３７】
接続器１０の孔２２は、第１の入力端子５３と第２の入力端子５４の上下方向の間隔と同じ間隔で、上下に並設されている。
【００３８】
接続器１０を用いるときは、図６に示すように、互いに異なる高さの孔２２から先端部１２ａが突出するとともに、先端部１２ａが互いに反転した２つの接続器１０（区別するときは、１０Ａ、１０Ｂと表記する。）を、第２の端子部１４が延びている側の側面同士を隣接させて連結する。
【００３９】
すると、一方の接続器１０Ａの第２の端子部１４が、他方の接続器１０Ｂの前方に配置され、他方の接続器１０Ｂの第２の端子部１４が、一方の接続器１０Ａの前方に配置される。
【００４０】
そして、接続器１０Ａの第１の端子部１３と接続器１０Ｂの第２の端子部１４が、第１の入力端子５３と第２の入力端子５４の位置に合うように段違いに配置されるとともに、接続器１０Ａの第２の端子部１４と接続器１０Ｂの第１の端子部１３が、第１の入力端子５３と第２の入力端子５４の位置に合うように段違いに配置される。
【００４１】
詳しくは、図８に示すように、接続器１０Ａの第１の端子部１３と接続器１０Ｂの第２の端子部１４とは、左右方向に所定の間隔Ｗを有して並設され、この間隔Ｗは、第１の入力端子５３と第２の入力端子５４の左右方向における間隔と略同じとされる。接続器１０Ａの第２の端子部１４と接続器１０Ｂの第１の端子部１３も、同様に、左右方向に間隔Ｗを有して並設される。
【００４２】
また、図９に示すように、接続器１０Ａの第１の端子部１３と接続器１０Ｂの第２の端子部１４とは、上下方向に所定の間隔Ｈを有して並設され、この間隔Ｈは、第１の入力端子５３と第２の入力端子５４の上下方向における間隔と略同じとされる。接続器１０Ａの第２の端子部１４と接続器１０Ｂの第１の端子部１３も、同様に、上下方向に間隔Ｈを有して並設される。
【００４３】
このように連結された２つの接続器１０を用いてブレーカ５０を接続するときは、図８に示すように、２つのブレーカ５０（区別するときは、５０Ａ、５０Ｂと表記する。）を、一方のブレーカ５０Ａに接続器１０Ａが対向し、他方のブレーカ５０Ｂに接続器１０Ｂが対向するように並設する。
【００４４】
そして、ブレーカ５０Ａの第１の入力端子５３に、接続器１０Ａの第１の端子部１３を、ブレーカ５０Ａの第２の入力端子５４に、接続器１０Ｂの第２の端子部１４を接続する。
【００４５】
また、ブレーカ５０Ｂの第１の入力端子５３に、接続器１０Ａの第２の端子部１４を、ブレーカ５０Ｂの第２の入力端子５４に、接続器１０Ｂの第１の端子部１３を接続する。
【００４６】
一方、各接続器１０の凹部２４には、図９に示すように、母線バー６を嵌入し、母線バー側端子部に母線バー６を挟着する。図９に示すように、接続器１０Ａの母線バー側端子部が、一番上の母線バー６（図９中、符号６Ａで示す。）に接続され、接続器１０Ｂの母線バー側端子部が、一番下の母線バー６（図９中、符号６Ｃで示す。）に接続されている場合には、ブレーカ５０Ａ、５０Ｂの第１の入力端子５３と母線バー６Ａとが接続され、ブレーカ５０Ａ、５０Ｂの第２の入力端子５４と母線バー６Ｃとが接続されることとなる。
【００４７】
接続器１０を用いれば、段違い端子型ブレーカ５０を容易に接続することができ、分電盤の製作が容易となる。特に、幅が狭小なために段違い端子型とされたブレーカ５０に対して、接続器１の形態のまま対応しようとすると、接続器１の幅をブレーカ５０の半分にする必要があるため、接続バー３の幅が非常に狭小となって、加工が容易でなくなり、また、母線バー６との連結力に問題が生じる。本実施形態の接続器１０を用いれば、接続器１０の幅はブレーカ５０の幅と同じでよいので、かかる問題が生じない。
【００４８】
なお、凹部２４の数、孔２２の数等は、適宜変更可能である。また、母線バー側端子部３２を、ボルト３４を用いないクリップ形状等にしてもよい。
【００４９】
すなわち、実用新案登録請求の範囲を逸脱しない範囲で、本考案は種々の構成を採り得る。
【図面の簡単な説明】
【００５０】
【図１】本考案の接続器の一実施形態の斜視図であり、２つの接続器を連結した状態を示す。
【図２】図１の接続器の分解斜視図である。
【図３】（ａ）〜（ｃ）は、それぞれ、図１の接続器に用いられる接続バーの斜視図である。
【図４】図１の接続器の平面図であり、母線バーと分岐用ブレーカとを接続した状態を示す。
【図５】側壁部を外した図１の接続器の側面図であり、母線バーと分岐用ブレーカとを接続した状態を示す。
【図６】本考案の接続器の他の実施形態の斜視図であり、２つの接続器を連結した状態を示す。
【図７】図６の接続器で接続される分岐用ブレーカの背面図であり、２つの分岐用ブレーカを並設した状態を示す。
【図８】図６の接続器の平面図であり、母線バーと分岐用ブレーカとを接続した状態を示す。
【図９】図６の接続器の側面図であり、母線バーと分岐用ブレーカとを接続した状態を示す。
【図１０】側壁部を外した従来の接続器の側面図であり、母線バーと分岐用ブレーカとを接続した状態を示す。
【符号の説明】
【００５１】
１、１０…接続器
２…ケース
３、１１…接続バー
４…盤面
５、５０…分岐用ブレーカ
６…母線バー
１２、３１…ブレーカ側端子部
１２ａ、３１ａ…先端部
１３…第１の端子部
１４…第２の端子部
２１…前壁部
２２…孔
２３…後部
２４…凹部
２５…側壁部
３２…母線バー側端子部
３２ａ…先端部
５１…入力端子
５３…第１の入力端子
５４…第２の入力端子
【図１】
0003113256.tif 000003
【図２】
0003113256.tif 000004
【図３】
0003113256.tif 000005
【図４】
0003113256.tif 000006
【図５】
0003113256.tif 000007
【図６】
0003113256.tif 000008
【図７】
0003113256.tif 000009
【図８】
0003113256.tif 000010
【図９】
0003113256.tif 000011
【図１０】
0003113256.tif 000012